(57)【要約】【課題】平型導体の前端部をコネクタの挿入口へ容易かつ確実に挿入できる平型導体挿入用治具及び平型導体挿入方法を提供することを課題とする。【解決手段】平型導体Ｐの前端部Ｐ１を、コネクタ２０へ向け前方へ挿入するための平型導体挿入用治具１０において、挿入操作時に指で掴むためのハンドル部１１と、平型導体のコネクタへの挿入後に回路基板に面する上記被掛止部Ｐ２の下面で、コネクタ２０への挿入前の平型導体の上記前端部Ｐ１の直後方に位置する側縁凸状部もしくは切落し部として形成された被掛止部Ｐ２を掛止する掛止部１２とを有し、上記掛止部１２は、前方に向け延びて設けられた爪部１７を有している。【選択図】図１
2018029013.tif 000002
【特許請求の範囲】
【請求項１】
平型導体の前端部を、コネクタへ向け前方へ挿入するための平型導体挿入用治具において、
挿入操作時に指で掴むためのハンドル部と、平型導体のコネクタへの挿入後に回路基板に面する上記被掛止部の下面で、コネクタへの挿入前の平型導体の上記前端部の直後方に位置する側縁凸状部もしくは切落し部として形成された被掛止部を掛止する掛止部とを有し、
上記掛止部は、前方に向け延びて設けられた爪部を有していることを特徴とする平型導体挿入用治具。
【請求項２】
掛止部は、爪部が平型導体の被掛止部の下面側に位置したときに、平型導体の上面に対して接触可能に位置して該平型導体を規制する規制部を有していることとする請求項１に記載の平型導体挿入用治具。
【請求項３】
掛止部は、爪部の上面側に前方へ向け開口する掛止溝が形成され、該掛止溝の高さ方向での溝幅が平型導体の被掛止部をその厚み方向で支持可能な寸法となっていることとする請求項１または請求項２に記載の平型導体挿入用治具。
【請求項４】
掛止部は、爪部の上面側に形成された掛止溝の溝幅が可変となっていることとする請求項１ないし請求項３のうちの一つに記載の平型導体挿入用治具。
【請求項５】
掛止部は、爪部が回動可能に回動軸で支持されているとともに、該回動軸まわりに回動可能なレバーがハンドル部に設けられていて、該レバーの操作により上記爪部が回動して掛止溝の溝幅を可変としていることとする請求項４に記載の平型導体挿入用治具。
【請求項６】
掛止部は、両側での爪部同士間の間隔が可変となっていることとする請求項１ないし請求項５のうちの一つに記載の平型導体挿入用治具。
【請求項７】
平型導体の前端部を、コネクタへ向け前方へ挿入するための平型導体挿入用治具を用いた平型導体挿入方法において、
挿入操作時に指で掴むためのハンドル部と、平型導体のコネクタへの挿入後に回路基板に面する上記被掛止部の下面で、コネクタへの挿入前の平型導体の上記前端部の直後方に位置する側縁凸状部もしくは切落とし部として形成された被掛止部を掛止する掛止部とを有し、該掛止部に、前方に向け延びた爪部が設けられた平型導体挿入用治具を用い、治具のハンドル部を指で掴み、掛止部の爪部で平型導体の被掛止部を掛止した後、該掛止部で被掛止部を掛止した状態で平型導体の前端部をコネクタへ正規位置まで挿入して該前端部をコネクタの係止部に係止させてから、治具の掛止部から平型導体の被掛止部が抜けるように該治具を後退させることを特徴とする平型導体挿入方法。
【発明の詳細な説明】
【技術分野】
【０００１】
本発明は、平型導体をコネクタへ挿入するときに用いられる平型導体挿入用治具及び平型導体挿入方法に関する。
【背景技術】
【０００２】
コネクタは、近来次第に小型化してきている。回路基板に取り付けられるコネクタは、ＦＰＣ等の平型導体の前端部が回路基板の面に平行な状態で接続されることが多い。コネクタは小型化されており、平型導体もきわめて薄いので、平型導体の挿入のための挿入口も非常に細いスリット状をなしている。上記挿入口へ挿入されるべき平型導体の前端部は、挿入のために自由状態となっていなければならず、平型導体は挿入操作時に上記前端部よりも後方部分で指により掴まれることとなる。したがって、それより前方の自由部分は、比較的長く延びているとともに薄いので、撓みやすく、挿入口に対しての位置を定めにくい。その結果、上記挿入口への挿入は、面倒である。
【０００３】
そこで、平型導体の上記挿入口への挿入を少しでも容易そして確実にするために治具を用いることがある。
【０００４】
特許文献１では、スライダを用いた形式のコネクタに使用されるＦＰＣ挿入治具が開示されている。特許文献１のコネクタは、コネクタの挿入口から平型導体挿入方向手前に飛び出た位置にスライダを配しておき、平型導体の前端部をこのスライダの上面に載せるだけで挿入口に対する位置を決めることができ、しかる後に平型導体の前端部をコネクタ内方へ挿入し、引き続き、上記スライダをコネクタ内方へ押し込むことで、該スライダが平型導体を圧して平型導体と端子との間に接圧をもたらすとともに、平型導体の抜けが防止されるようになっている。特許文献１では、このスライダの押し込み作業をさらに容易として作業者が片手で作業が行えるようなＦＰＣ挿入治具を提案している。
【０００５】
上記ＦＰＣ挿入治具は、平型導体が前後に貫通するようにして配置して用い、該治具を片手の指で保持しつつ、同時に指が平型導体の側縁あるいは面に触れることができるようになっている。かかる状態で、治具は平型導体に対して隙間をもち、前後に移動可能である。
【０００６】
使用に際しては、コネクタの挿入口から飛び出した状態にあるスライダ上に、上記治具から前方に突出している平型導体の前端部を配してから該前端部をコネクタ内の所定位置まで挿入する。
【０００７】
しかる後、指を平型導体にすべらせながら指で治具をスライダの方へ前進させ、治具の前端でスライダを前方へ押し出しスライダをコネクタ内へ押し込むこととしている。
【先行技術文献】
【特許文献】
【０００８】
【特許文献１】特開平０７−２９６９４１
【発明の概要】
【発明が解決しようとする課題】
【０００９】
しかしながら、特許文献１の治具は、平型導体の前端部が配されているスライダをコネクタ内に押し込むためのものであり、上記前端部をコネクタ挿入口へもたらし挿入するのには不適である。そもそも、特許文献１のコネクタでは、上記平型導体の前端部の挿入前に、スライダが挿入口から飛び出して位置しており、大きく開放されているスライダの上方から上記平型導体の前端部を配置すれば良いのでその配置作業は楽に行える。特許文献１の治具は、この配置作業後のスライダの押込み作業に有効となる。したがって、特許文献１は、スライダを有していない形式のコネクタに対する上記平型導体の前端部の挿入を容易かつ確実に行うための解決策とはならない。
【００１０】
本発明は、このような事情に鑑み、平型導体の前端部をコネクタの挿入口へ容易かつ確実に挿入できる平型導体挿入用治具及び平型導体挿入方法を提供することを課題とする。
【課題を解決するための手段】
【００１１】
本発明に係る平型導体挿入用治具は、平型導体の前端部を、コネクタへ向け前方へ挿入する。
【００１２】
かかる平型導体挿入用治具において、本発明では、挿入操作時に指で掴むためのハンドル部と、平型導体のコネクタへの挿入後に回路基板に面する上記被掛止部の下面で、コネクタへの挿入前の平型導体の上記前端部の直後方に位置する側縁凸状部もしくは切落し部として形成された被掛止部を掛止する掛止部とを有し、上記掛止部は、前方に向け延びて設けられた爪部を有していることを特徴としている。
【００１３】
また、かかる平型導体挿入用治具を用いた平型導体挿入方法に係る発明は、挿入操作時に指で掴むためのハンドル部と、平型導体のコネクタへの挿入後に回路基板に面する上記被掛止部の下面で、コネクタへの挿入前の平型導体の上記前端部の直後方に位置する側縁凸状部もしくは切落とし部として形成された被掛止部を掛止する掛止部とを有し、該掛止部に、前方に向け延びた爪部が設けられた平型導体挿入用治具を用い、治具のハンドル部を指で掴み、掛止部の爪部で平型導体の被掛止部を掛止した後、該掛止部で被掛止部を掛止した状態で平型導体の前端部をコネクタへ正規位置まで挿入して該前端部をコネクタの係止部に係止させてから、治具の掛止部から平型導体の被掛止部が抜けるように該治具を後退させることを特徴としている。
【００１４】
多くの平型導体は、ハウジングへの過大挿入を防止するために、ハウジングの挿入口の側縁に突き当たるように、該平型導体の前端部側縁に側縁凸状部を有している。そこで本発明の治具の爪部で該平型導体の側縁凸状部を被掛止部として下面側から掛止して支持し、その状態で平型導体の前端部を挿入口へ挿入する。このような本発明の治具を用いる際、被掛止部としての側縁凸状部は平型導体の前端縁に近く該平型導体の前端部の自由部分が短いので、該前端部での撓み量がきわめて小さく、挿入口に対する位置決めが容易となる。しかも指は、ハンドル部を掴むので、指で凸状部が見えなくなることがなく、上記凸状部そして挿入口が目視しやすいので挿入が容易かつ確実に行われる。
【００１５】
本発明において、掛止部は、爪部が平型導体の被掛止部の下面側に位置したときに、平型導体の上面に対して接触可能に位置して該平型導体を規制する規制部を有していることが好ましい。こうすることで、爪部で平型導体の両側の被掛止部を掛止した際、規制部が平型導体の上面を規制して、平型導体が上方に凸弯曲するように撓むことを防止、挿入側となる平型導体の前端部での形状が平坦を維持して安定する。
【００１６】
本発明において、掛止部は、爪部の上面側に前方へ向け開口する掛止溝が形成され、該掛止溝の高さ方向での溝幅が平型導体の被掛止部をその厚み方向で支持可能な寸法となっていることが好ましい。かかる形態のもとでは、平型導体の凸状部を掛止溝で支持するので、支持が安定し、挿入作業中に平型導体がどのような姿勢であっても、これを確実に支持できる。
【００１７】
本発明において、掛止部は、爪部の上面側に形成された掛止溝の溝幅が可変となっていることが、さらに好ましい。このような形態のもとでは、掛止溝の溝幅が可変なので、溝幅大として被掛止部の掛止を容易とし、掛止後溝幅を小さくして掛止を確実とする。
【００１８】
本発明において、掛止部は、爪部が回動可能に回動軸で支持されているとともに、該回動軸まわりに回動可能なレバーがハンドル部に設けられていて、該レバーの操作により上記爪部が回動して掛止溝の溝幅を可変とすることができる。
【００１９】
本発明おいて、掛止部は、両側での爪部同士間の間隔が可変となっていることが、さらに好ましい。こうすることで、一つの治具で、幅の異なる幅の異なる複数の平型導体のいずれにも対応できることとなる。
【００２０】
本発明において、上述の治具を用いることで、治具のハンドル部を指で掴み、掛止部の爪部で平型導体の被掛止部を掛止した後、該掛止部で被掛止部を掛止した状態で平型導体の前端部をコネクタへ正規位置まで挿入して該前端部をコネクタの係止部に係止させてから、治具の掛止部から平型導体の被掛止部が抜けるように該治具を後退させるようにして、平型導体の挿入を完了する。
【発明の効果】
【００２１】
本発明は、以上のように、治具がハンドル部と掛止部とを有し、掛止部に爪部を設けて、該爪部で平型導体の前端部の直後方に位置する被掛止部を掛止し、そのまま平型導体の前端部をコネクタの挿入口へ挿入することとしたので、前端部が治具から前方へ突出する部分が短くなり撓みにくくなるので、挿入口に対する位置決めがし易く、これに加え、指はハンドル部にあって上記掛止部そして被掛止部に対し視野がひらけているので、目視による作業が容易となる。さらには、治具で被掛止部を掛止したしたまま前端部を前方へ向け押すだけで、該前端部を確実に挿入口内へ所定位置まで挿入することができ、作業性が向上する。
【図面の簡単な説明】
【００２２】
【図１】本発明の一実施形態としての平型導体挿入用治具を、平型導体そしてコネクタと共に、挿入前の状態でコネクタに対し後方から見た斜視図である。
【図２】図１の治具を前方から見た斜視図である。
【図３】治具による平型導体のコネクタへの挿入手順を示し、（Ａ）は準備状態、（Ｂ）は凸状部の掛止状態、（Ｃ）は挿入完了状態、（Ｄ）は挿入後に治具を外した状態を示す。
【図４】本発明の他の実施形態の治具の斜視図であり、（Ａ）は平型導体の凸状部に対する掛止前、（Ｂ）は掛止時を示し、いずれも平型導体の図示は省略されている。
【図５】本発明のさらに他の実施形態の治具の斜視図であり、（Ａ）は一つの幅状態、（Ｂ）は他の幅状態を示す。
【発明を実施するための形態】
【００２３】
以下、添付図面にもとづき、本発明の実施の形態を説明する。
【００２４】
図１は、本実施形態としての平型導体挿入用治具（以下、「治具」という）１０と、回路基板用電気コネクタ（以下「コネクタ」という）２０と、該コネクタ２０へ挿入接続される平型導体Ｐとを、挿入接続前の状態で示す斜視図である。
【００２５】
平型導体Ｐは、コネクタ２０への挿入方向の前端部Ｐ１の上面にコネクタ２０の端子（図示せず）に接触接続される回路部Ｐ１−Ａを有し、上記前端部Ｐ１の両側縁にはコネクタに設けられた係止部（図示せず）が係止して平型導体Ｐの抜けを防止するための係止凹部Ｐ１−Ｂが形成されている。上記前端部Ｐ１の直後方位置には、平型導体Ｐの両側縁から側方へ突出して形成された側縁凸状部Ｐ２が設けられている。該側縁凸状部Ｐ２は、コネクタ２０への過挿入を防止するストッパとして機能するとともに、治具１０により掛止されるように用いられる。本実施形態では、この側縁凸状部Ｐ２を治具１０による掛止のための被掛止部として用いるが、被掛止部Ｐ２は側縁凸状部のみならず、孔部、切欠部等の切落し部としても形成できる。
【００２６】
コネクタ２０は、平型導体Ｐの前端部Ｐ１が挿入される挿入口２１がコネクタ幅方向に細長いスリット状をなして該コネクタの後面に開口して形成されている。該挿入口２１内には、複数の端子（図示せず）の接触部が上記コネクタ幅方向に配列されている。該端子は上腕部と下腕部とを有し、上記接触部は、例えば、図示の形態の平型導体Ｐの上面の回路部Ｐ１−Ａに対して弾性圧をもって接触するように上記上腕部に設けられている。
【００２７】
上記コネクタ２０は、端子配列範囲外となるコネクタ幅方向両端位置に係止金具（図示せず）を有している。該係止金具は、端子と同様に、上腕部と下腕部とを有し、該下腕部で平型導体の下面を支持しつつ、上腕部に下向きに形成された係止突部が上記平型導体の係止凹部Ｐ１−Ｂに突入して係止し、平型導体Ｐの抜けを防止するようになっている。上記係止金具の上腕部は弾性を有していて、平型導体をコネクタの挿入口２１に挿した際に、平型導体Ｐの前端部Ｐ１が上記係止突部に当接することで弾性撓みを生じ、該係止突部が上方へもち上げられて平型導体Ｐのさらなる挿入を可能としている。該平型導体Ｐの前端部Ｐ１が所定位置まで挿入されると、平型導体Ｐはその係止凹部Ｐ１−Ｂが上記係止金具の係止突部の位置にきて、その結果、上腕部の弾性撓みが解除されて原位置に復帰して係止突部が係止凹部内に留まるようになる。
【００２８】
上記コネクタ２０には、可動部材２２が設けられている。該可動部材２２は、該コネクタ２０の前部にて、平型導体Ｐの挿入を容易とする開位置（図１の状態）と、端子を平型導体Ｐに対し圧するとともに係止金具の係止突部が平型導体Ｐの係止凹部Ｐ１−Ｂへの進入を深める閉位置との間を回動可能に、コネクタ２０のハウジングもしくはハウジングに保持されている部材により支持されている。可動部材２２は閉位置にてロック機構により該閉位置が維持されるようになっている。該閉位置では、可動部材は端子の上腕部に弾性撓みを生じさせて該端子の上腕部に設けられた接触部と平型導体との間の接圧を高めた状態を維持するとともに、係止金具の係止突部が平型導体の係止凹部に深く進入した状態を維持する。
【００２９】
本実施形態のコネクタ２０の挿入口２１へ平型導体Ｐの前端部Ｐ１を挿入する際に用いられる治具１０は、金属製あるいは合成樹脂製で、図２に見られるように、全体として縦長な厚板部材で棒状をなしている。
【００３０】
上記治具１０は、ハンドル部１１とその下方に位置する掛止部１２とを有している。
【００３１】
上記ハンドル部１１は、平型導体Ｐの被掛止部としての側縁凸状部Ｐ２を含めた該平型導体Ｐの全幅にほぼ等しい幅をもつ下部１３と、該下部１３の上端からその幅を狭めているテーパ部１４と、該テーパ部１４から上方に延びる上部１５とを有している。該上部１５の上端には、閉位置にあるときの可動部材２２を開位置へもたらす際に、可動部材２２の一部に掛止して該可動部材２２をロック状態からロック解除状態にするための爪状の補助掛止部１６が設けられている。
【００３２】
掛止部１２は、上記ハンドル部１１の下部１３の下端から該下部１３の板面に対し前方に傾斜している。該掛止部１２は、上記下部１３と同じ幅をもつ該掛止部１２の幅方向両端部で下方へ突出し前方へ延びる爪部１７を有している。該爪部１７は両方の爪部１７の間における掛止部１２の前端面よりも前方に突出しており、該爪部１７の上面とこれに対向する掛止部１２の下面との間に、前方へ向け開口する掛止溝１８を形成している。該掛止溝１８は平型導体Ｐの掛止に供し、上記爪部１７の上面の大きさ、すなわち前後方向長さと幅方向寸法は上記凸状部Ｐ２とほぼ同じに設定されている。また掛止溝１８の溝幅（上記爪部１７の上面と掛止部１２の下面との間の幅）は、上記側縁凸状部Ｐ２を掛止した状態で該側縁凸状部Ｐ２を搬送できる程度に支持可能な寸法となっている。
【００３３】
上記掛止部１２の幅方向両端に設けられた両爪部１７の間での該掛止部１２の下面は、該爪部１７に対し上方へ没していて平坦な規制部１９を形成している。該規制部１９は、平型導体Ｐの側縁凸状部Ｐ２が上記掛止溝１８に収められたときに、該規制部１９が平型導体Ｐの上面に接面もしくは至近して接面可能な位置に定められている。
【００３４】
次に、かかる本実施形態の治具を用いた平型導体のコネクタへの挿入要領を、図１そして図３にもとづき説明する。
【００３５】
先ず、治具１０のハンドル部１１を指で掴み、図３（Ａ）のように治具１０の掛止部１２を平型導体Ｐの被掛止部としての側縁凸状部Ｐ２の後方位置にもたらし、しかる後、図３（Ｂ）のように、掛止部１２の掛止溝１８へ平型導体Ｐの側縁凸状部Ｐ２を収めて掛止させる。この側縁凸状部Ｐ２の掛止部１２への掛止は、片方の手の指でハンドル部１１を掴みながら、掛止部１２の両方の爪部１７の間に位置する該掛止部１２の下面をなす規制部１９を平型導体Ｐの上面（コネクタへの挿入時に上方に向く面）に位置させてから平型導体の被掛止部たる側縁凸状部Ｐ２に向けて上記平型導体Ｐの上面に這わせるようにして上記掛止部１２の爪部１７を側縁凸状部Ｐ２に掛止させる。このとき、平型導体Ｐを指で摘むのが困難な作業性の悪い環境においては、ハンドル部１１が掛止部１２から延びている当該治具を利用すると、効果的である。作業性の悪い環境とは、例えば、次のような場合が挙げられる。
【００３６】
第一には、例えば、スマートフォン、デジタルカメラ等の小型電子機器において、コネクタが実装されている回路基板の実装面の反対面に沿って延びている平型導体を回路基板の端縁位置で折り返して平型導体の前端部を上記コネクタに接続する場合である。
【００３７】
第二には、一般の小型電子機器において、コネクタが実装されている回路基板に対して隣接して位置する別の回路基板から延びる平型導体を上記コネクタに接続する際に、平型導体の前端部より後方部分を上方に湾曲させることで、該前端部をコネクタの挿入口の位置までもってきてからコネクタに接続する場合である。
【００３８】
第三には、例えば、無人航空機のカメラモジュールと本体との接続の際、平型導体の前端部を機器内の狭い空間内で上記本体の奥まった位置にあるコネクタに接続する場合である。
【００３９】
いずれの場合においても、治具のハンドル部の先に掛止部が位置している関係上、該掛止部から離れているハンドル部を掴んで操作することで、掛止部をコネクタに向け近接移動できるので、作業性が良い。
【００４０】
このように上記側縁凸状部Ｐ２を掛止溝１８で掛止した状態で、平型導体Ｐの前端部Ｐ１を可動部材２２が開位置にあるコネクタ２０の挿入口２１へ挿入し所定位置まで前方へ押し込む（図３（Ｃ）参照）。この状態では、既述したように、コネクタ２０の係止金具の係止突部が平型導体Ｐの係止凹部Ｐ１−Ｂに進入して平型導体Ｐのコネクタ２０からの抜けが防止されている。
【００４１】
しかる後、治具１０を後方へ引き、抜けが防止されている平型導体Ｐをコネクタ２０内の所定位置に残した状態で該平型導体Ｐの側縁凸状部Ｐ２が掛止溝１８から抜けて一連の作業が終了する。
【００４２】
本実施形態によれば、ハンドル部１１を掴む指が掛止部１２から上方に離れて位置するので、平型導体Ｐの側縁凸状部Ｐ２が掛止部１２により掛止される様子を目視でよく確認できるので、掛止が容易かつ確実となる。また、この掛止状態では、平型導体Ｐの上面が治具１０の規制部１９の面で規制されるので、平型導体Ｐは上方へ向け凸弯曲することなく平坦面を維持し、その結果、平型導体Ｐの前端部Ｐ１の姿勢は安定し、上記側縁凸状部Ｐ２よりも前方に位置する前端部Ｐ１の距離が短いことと相俟って、該前端部Ｐ１のコネクタ２０の挿入口２１への挿入は容易かつ確実となる。本実施形態の治具によると、平型導体に設けられた側縁凸状部等の被掛止部は掛止部の掛止溝に進入したとき、掛止溝の対向内面に対して傾いた姿勢をとることが多く、それにより被掛止部が上記対向内面の両方に当接して掛止が良好となる。また、治具の引き抜きのときには、掛止溝の対向内面が上記被掛止部の面に対して平行となるように治具の姿勢を変えることで、容易に引き抜ける。
【００４３】
次に、本発明の実施形態について図４そして図５にもとづき説明する。
【００４４】
先ず、図４の実施形態では、治具１０は、爪部１７が掛止部１２の下面（両方の爪部１７の間の部分での下面）に対し可動に設けられている。治具１０は、ハンドル部１１そして掛止部１２の幅方向中央位置にレバー収容溝１１Ａが前後そして下方に開放して形成されていて、該レバー収容溝１１Ａにはレバー１１Ｂが可動に収められている。該レバー１１Ｂと上記爪部1７とはピン１１Ｃにより連結されている。したがって、レバー１１Ｂを回動すると爪部１７はピン１１Ｃを介して同量だけ回動する。その結果、爪部１７の上面に形成される掛止溝１８の開きが可変となる。使用に際しては、図４（Ａ）のようにレバー１１Ｂを前方へ回動して上記爪部を下方へ傾けることで、掛止溝１８の入口部の開きを大きくして平型導体Ｐの側縁凸状部Ｐ２の掛止を行いやすくする。側縁凸状部Ｐ２を掛止溝１８に収めた後に、レバー１１Ｂを図４（Ｂ）の位置にまで戻して上記掛止溝１８を狭めて該掛止溝１８内にて側縁凸状部Ｐ２をしっかりと掛止する。
【００４５】
次に、図５に示されるさらに他の実施形態では、治具１０はその幅を可変としており、幅の異なる平型導体に対応可能としている。図５（Ａ）に見られるように、治具１０は左右の治具半体１０−１，１０−２に分割形成されていて、両方の治具半体１０−１と１０−２は図示しない手段、例えばピン等で分離自在に結合されている。幅の広い平型導体に際しては、分割された治具半体１０−１と治具半体１０−２との間にスペーサ１０−３を介入させて治具１０の幅を広くしている。
【００４６】
上記スペーサ１０−３も、治具半体１０−１，１０−２同士間と同様、治具半体１０−１そして治具半体１０−２に対してピン等の図示しない手段により分離自在に結合される。上記スペーサ１０−３を各種幅の複数の部材として用意すれば、この部材だけを用意するだけで、簡単に各種幅の平型導体に対応できる。
【符号の説明】
【００４７】
１０  治具                    １９  規制部
１１  ハンドル部              ２０  コネクタ
１１Ｂ  レバー                Ｐ  平型導体
１２  掛止部                  Ｐ１  前端部
１７  爪部                    Ｐ２  被掛止部（側縁凸状部）
１８  掛止溝
【図１】
2018029013.tif 000003
【図２】
2018029013.tif 000004
【図３】
2018029013.tif 000005
【図４】
2018029013.tif 000006
【図５】
2018029013.tif 000007